(57)【特許請求の範囲】
【請求項１】
使用者の手に空気を吹き付けて乾燥させる手乾燥装置であって、
空気を吹き出すために回転するブラシモータを有する送風機と、
前記送風機を内蔵すると共に、使用者の手が挿入される空間が構成される手乾燥室を有するハウジングと、
前記手乾燥室に挿入された使用者の手を検知するセンサと、
前記センサが前記手乾燥室への使用者の手の挿入を検知すると、前記ブラシモータを駆動する制御部と、を備え、
前記制御部は、前記ブラシモータの運転状態を検出する運転状態検出部と、前記運転状態検出部が検出した前記ブラシモータの運転状態に基づいて前記ブラシモータの寿命を判定する寿命判定部と、を有し、
前記寿命判定部は、前記ブラシモータへの通電時間を累積した累積通電時間及び前記ブラシモータが停止状態から回転状態へと遷移した運転回数に基づいて、前記ブラシモータの使用限界を判定し、更に、前記ブラシモータへの累積通電時間が予め定められた第一通電時間以上の場合は、前記ブラシモータが使用限界に到達したものと判定し、前記ブラシモータへの累積通電時間が前記第一通電時間未満の場合であっても、前記運転回数が予め定められた第一運転回数以上の場合は、前記ブラシモータが使用限界に到達したものと判定することを特徴とする手乾燥装置。
【請求項２】
使用者の手に空気を吹き付けて乾燥させる手乾燥装置であって、
空気を吹き出すために回転するブラシモータを有する送風機と、
前記送風機を内蔵すると共に、使用者の手が挿入される空間が構成される手乾燥室を有するハウジングと、
前記手乾燥室に挿入された使用者の手を検知するセンサと、
前記センサが前記手乾燥室への使用者の手の挿入を検知すると、前記ブラシモータを駆動する制御部と、を備え、
前記制御部は、前記ブラシモータの運転状態を検出する運転状態検出部と、前記運転状態検出部が検出した前記ブラシモータの運転状態に基づいて前記ブラシモータの寿命を判定する寿命判定部と、を有し、
前記寿命判定部は、前記ブラシモータへの通電時間を累積した累積通電時間及び前記ブラシモータが停止状態から回転状態へと遷移した運転回数に基づいて、前記ブラシモータの使用限界を判定し、更に、前記ブラシモータの回転数が予め定められた第一回転数を下回るように通電された場合には、前記ブラシモータへの実際の通電時間よりも減じた補正通電時間及び前記ブラシモータの実際の運転回数よりも減じた補正運転回数に基づく判定となるように、前記ブラシモータの使用限界を判定することを特徴とする手乾燥装置。
【請求項３】
前記寿命判定部は、
前記ブラシモータの回転数が予め定められた第一回転数を下回るように通電された場合には、前記ブラシモータへの実際の通電時間よりも減じた補正通電時間及び前記ブラシモータの実際の運転回数よりも減じた補正運転回数に基づく判定となるように、前記ブラシモータの使用限界を判定することを特徴とする請求項１に記載の手乾燥装置。
【請求項４】
前記寿命判定部は、
前記補正運転回数の低減度合いよりも、前記補正通電時間の低減度合いがより多くなるように補正して前記ブラシモータの使用限界を判定することを特徴とする請求項２または３に記載の手乾燥装置。
【請求項５】
前記ブラシモータが使用限界に到達したことを報知する寿命報知部を備え、
前記ブラシモータが使用限界に到達したと前記寿命判定部が判断すると、前記ブラシモータが使用限界に到達したことを前記寿命報知部が報知することを特徴とする請求項１から４のいずれか１項に記載の手乾燥装置。
【請求項６】
前記寿命判定部が前記ブラシモータへの累積通電時間が予め定められた第二通電時間以上であると判断した場合は、前記制御部が前記ブラシモータの駆動を停止し、
前記寿命判定部が前記ブラシモータへの累積通電時間が前記第二通電時間未満の場合であっても、前記運転回数が予め定められた第二運転回数以上の場合は、前記制御部が前記ブラシモータの駆動を停止することを特徴とする請求項５に記載の手乾燥装置。
【発明の詳細な説明】
【技術分野】
【０００１】
本発明は、使用者の手に空気を吹き付けて乾燥させる手乾燥装置に関する。
【背景技術】
【０００２】
近年、特に公共のトイレ等においては、手洗い後に手に付着している水を拭き取るためのペーパータオルを削減する傾向が強まっており、ペーパータオルの代わりに手乾燥装置を設置する場合が増えている。このような手乾燥装置は、洗面ボウルが配置されている場所からは少し離れた洗面カウンター上の壁面や、洗面カウンターから離れたトイレ空間の壁面等に設置されている場合が多い（下記特許文献１参照）。
【０００３】
下記特許文献１において提案されている手乾燥装置では、手をハウジングの上方から開口凹部内へ挿入し、開口凹部の掌側壁面及び甲側壁面にそれぞれ設けられたセンサが手を検知すると、両壁面それぞれにほぼ水平方向直線状に設けられた複数の掌側用のノズル及び甲側用のノズルから、手の掌側及び甲側にそれぞれ温風が吹き付けられ、手に付着していた水滴を飛ばしながら下方へ流れるようになっている。
【０００４】
下記特許文献１では、掌側用及び甲側用それぞれにファンモータユニットを設けている。それぞれに用いられているモータは、手乾燥装置の使用を継続することで消耗し、やがてその使用限界を迎え交換する必要に迫られる。手乾燥装置は、オフィスや店舗といった公共の場に設けられていることから、モータの交換にあたっては、なるべく使用不可期間を短くして交換したいとの事情がある。そこで、モータの寿命を予測することができれば、モータが使用限界を超えて動かなくなってしまう前に新しいモータと交換することができる。
【０００５】
下記特許文献２には、モータの寿命を予測する技術が開示されている。具体的には、モータの回転速度、環境温度、モータに掛かる負荷から実効回転数を求め、モータの寿命を推測している。
【先行技術文献】
【特許文献】
【０００６】
【特許文献１】特開２０１０−２２７３２０号公報
【特許文献２】特開２００３−１４３８８６号公報
【発明の概要】
【発明が解決しようとする課題】
【０００７】
本発明者らは、上記特許文献２に記載のモータの寿命推測を用いて、上記特許文献１に記載の手乾燥装置に用いられるモータの寿命推測を行ってみたところ、実際にモータが使用限界を迎えるタイミングと、寿命推測によるモータの使用限界タイミングとの間にかなりの乖離があることを見出したものである。この原因について本発明者らが検討したところ、上記特許文献２で想定しているモータの使用状況と、上記特許文献１におけるモータの使用環境とが大きく異なることにあるのではないかという知見を得た。
【０００８】
上記特許文献２におけるモータの寿命推測は、プリンタに用いられるモータの寿命推測である。プリンタに用いられるモータは、指定枚数の紙を印刷する間回り続けるものであり、その指定枚数の紙の印刷搬送が終われば、次の印刷指示が入力されるまで待ちの状態となる。従って、一つの印刷指示に対応するモータの回転動作の時間は比較的長めであり、搬送物は一枚ずつの紙であるからモータに掛かる負荷は比較的低めである。
【０００９】
一方、上記特許文献１に記載の手乾燥装置では、使用者が手乾燥室に手を挿入すると、その挿入を検知してモータを駆動し、乾燥風を手乾燥室に送り込むように構成されている。従って、モータは、使用者が手を手乾燥室に挿入している間において駆動するものであり、使用者が手を手乾燥室から抜き去ることで駆動が停止される。また、手乾燥装置では、素早く使用者の手を乾燥させたいというニーズがあることから、モータの回転数を上げて、送り出す風量を増やすことが求められる。従って、一回の手の挿入に対応するモータの回転動作の時間は比較的短めであり、モータの回転数は短時間に急激に上げる必要があるためモータに掛かる負荷は比較的重めである。本発明者らは、このような状況の差が、上記特許文献２に記載のモータの寿命推測によって、手乾燥装置に使用されるモータの寿命推測が精度良く行えなかった原因であると考えた。
【００１０】
本発明はこのような課題に鑑みてなされたものであり、その目的は、使用されるモータの寿命推測を精度良く行うことができる手乾燥装置を提供することにある。
【課題を解決するための手段】
【００１１】
上記課題を解決するために本発明に係る手乾燥装置は、使用者の手に空気を吹き付けて乾燥させる手乾燥装置であって、空気を吹き出すために回転するブラシモータを有する送風機と、前記送風機を内蔵すると共に、使用者の手が挿入される空間が構成される手乾燥室を有するハウジングと、前記手乾燥室に挿入された使用者の手を検知するセンサと、前記センサが前記手乾燥室への使用者の手の挿入を検知すると、前記ブラシモータを駆動する制御部と、を備え、前記制御部は、前記ブラシモータの運転状態を検出する運転状態検出部と、前記運転状態検出部が検出した前記ブラシモータの運転状態に基づいて前記ブラシモータの寿命を判定する寿命判定部と、を有し、前記寿命判定部は、前記ブラシモータへの通電時間を累積した累積通電時間及び前記ブラシモータが停止状態から回転状態へと遷移した運転回数に基づいて、前記ブラシモータの使用限界を判定する。
【００１２】
本発明によれば、寿命判定部が、ブラシモータへの累積通電時間及びブラシモータが停止状態から回転状態へと遷移した運転回数に基づいて、ブラシモータの使用限界を寿命として判定する。手乾燥装置は、一回の手の挿入に対してブラシモータに掛かる負荷は比較的重めであるので、ブラシモータが停止状態から回転状態へと遷移する際に、定常的にブラシモータが回転するよりも寿命に対する影響は大きい。そこで、ブラシモータへの累積通電時間にあわせて運転回数も考慮することで、ブラシモータの使用限界をより正確に判定することができる。
【００１３】
また本発明に係る手乾燥装置では、前記寿命判定部は、前記ブラシモータへの累積通電時間が予め定められた第一通電時間以上の場合は、前記ブラシモータが使用限界に到達したものと判定し、前記ブラシモータへの累積通電時間が前記第一通電時間未満の場合であっても、前記運転回数が予め定められた第一運転回数以上の場合は、前記ブラシモータが使用限界に到達したものと判定することも好ましい。
【００１４】
この好ましい態様では、ブラシモータへの累積通電時間が予め定められた第一通電時間以上の場合は、ブラシモータが使用限界に到達したものと判定するので、累積通電時間に応じた的確なブラシモータの寿命推測を行うことができる。更に、累積通電時間が第一通電時間に満たない場合であっても、運転回数が第一運転回数以上の場合には、ブラシモータが使用限界に到達したものと判定するので、手乾燥装置の使用態様に適合したブラシモータの寿命推測が可能になる。
【００１５】
また本発明に係る手乾燥装置では、前記寿命判定部は、前記ブラシモータの回転数が予め定められた第一回転数を下回るように通電された場合には、前記ブラシモータへの実際の通電時間よりも減じた補正通電時間及び前記ブラシモータの実際の運転回数よりも減じた補正運転回数に基づく判定となるように、前記ブラシモータの使用限界を判定することも好ましい。
【００１６】
ブラシモータの回転数が予め定められた第一回転数を下回るように通電された場合には、より高い回転数で回転した場合に比較してブラシモータの消耗は少なくなる。そこでこの好ましい態様では、そのような場合に、例えば第一通電時間や第一運転回数を引き上げたり、例えばブラシモータへの実際の通電時間よりも減じた補正通電時間と第一通電時間とを比較したり、ブラシモータの実際の運転回数よりも減じた補正運転回数と第一運転回数とを比較することで、よりブラシモータの実際の消耗に適合した寿命判定を可能なものとしている。
【００１７】
また本発明に係る手乾燥装置では、前記寿命判定部は、前記補正運転回数の低減度合いよりも、前記補正通電時間の低減度合いがより多くなるように補正して前記ブラシモータの使用限界を判定することも好ましい。
【００１８】
上述したように、手乾燥装置の場合、累積通電時間よりも運転回数がブラシモータの寿命に与える影響は大きい。そこでこの好ましい態様では、補正運転回数の低減度合いよりも、補正通電時間の低減度合いがより多くなるように補正することで、運転回数による寿命判断の比重を高め、よりブラシモータの実際の消耗に適合した寿命判定を可能なものとしている。
【００１９】
また本発明に係る手乾燥装置では、前記ブラシモータが使用限界に到達したことを報知する寿命報知部を備え、前記ブラシモータが使用限界に到達したと前記寿命判定部が判断すると、前記ブラシモータが使用限界に到達したことを前記寿命報知部が報知することも好ましい。
【００２０】
この好ましい態様では、寿命報知部によって、ブラシモータが使用限界に到達したことを報知することで、使用者やメンテナンス担当者がブラシモータの寿命を認識することができ、的確なタイミングでブラシモータの交換をすることが容易になる。
【００２１】
また本発明に係る手乾燥装置では、前記寿命判定部が前記ブラシモータへの累積通電時間が予め定められた第二通電時間以上であると判断した場合は、前記制御部が前記ブラシモータの駆動を停止し、前記寿命判定部が前記ブラシモータへの累積通電時間が前記第二通電時間未満の場合であっても、前記運転回数が予め定められた第二運転回数以上の場合は、前記制御部が前記ブラシモータの駆動を停止することも好ましい。
【００２２】
この好ましい態様では、ブラシモータへの累積通電時間が予め定められた第二通電時間以上の場合は、ブラシモータを停止するので、累積通電時間に応じた的確なブラシモータの寿命推測を行って報知することができる。更に、累積通電時間が第二通電時間に満たない場合であっても、運転回数が第二運転回数以上の場合には、ブラシモータを停止するので、手乾燥装置の使用態様に適合したブラシモータの寿命推測を行って報知することが可能になる。
【発明の効果】
【００２３】
本発明によれば、使用されるモータの寿命推測を精度良く行うことができる手乾燥装置を提供することができる。
【図面の簡単な説明】
【００２４】
【図１】本発明の実施形態である手乾燥装置の外観を示す斜視図である。
【図２】図１に示す手乾燥装置の縦断面図である。
【図３】図１に示す手乾燥装置の制御的な構成を示すブロック構成図である。
【図４】図１に示す手乾燥装置の動作の一例を示すフローチャートである。
【図５】図１に示す手乾燥装置の動作の一例を示すフローチャートである。
【図６】図５の動作を説明するための図である。
【図７】図１に示す手乾燥装置の動作の一例を示すフローチャートである。
【図８】図７の動作を説明するための図である。
【発明を実施するための形態】
【００２５】
以下、添付図面を参照しながら本発明の実施の形態について説明する。説明の理解を容易にするため、各図面において同一の構成要素に対しては可能な限り同一の符号を付して、重複する説明は省略する。
【００２６】
図１を参照しながら、本発明の一実施形態である手乾燥装置について説明する。図１は、本発明の実施形態である手乾燥装置１の斜視図である。
【００２７】
本実施形態の手乾燥装置１は、例えば、洗面所などの壁面に設置されている水栓付きの洗面器の側方に設置され、水栓および洗面器を利用して手を洗った人が、濡れた手を乾燥するために使用するものである。なお、本実施形態では手乾燥装置１を洗面所の壁面に設置する場合について説明しているが、手乾燥装置１の設置態様はこれに限られるものではなく、例えば壁面に固定されずに床面に立設される場合もある。
【００２８】
図１に示すように、手乾燥装置１は、ハウジング２及び水受けトレー１９を備えている。ハウジング２は、正面側部材２ａと、背面側部材２ｂと、側面部材２ｃと、側面部材２ｄとによって構成されている。ハウジング２には手乾燥室としての開口凹部４が形成され、その開口凹部４の下方には送風機が内蔵されている。開口凹部４は上方に開口しており、使用者が手を差し入れるための開口部４ｕが形成されている。
【００２９】
手乾燥装置１を壁面に取り付けた状態で使用者に対して手前側となる正面側部材２ａは、水平方向に直線状に略等間隔に列設された複数のノズル６ａ（図１には明示せず）を備えている。また、手乾燥装置１を壁面に取り付けた状態で使用者に対して壁面側となる背面側部材２ｂは、ノズル６ａと同様に水平方向に直線状に略等間隔に列設された複数のノズル６ｂを備えている。ノズル６ａ及びノズル６ｂは、送風機から送給される空気流を開口凹部４内へ吹き出すためのノズルである。
【００３０】
また、ハウジング２の右側面には側面部材２ｄが着脱可能に装着され、側面部材２ｄには、水滴の通過を防止するルーバー５を有する台形状の通気口５ａが設けられている。なお、ハウジング２の左側面にも側面部材２ｄと鏡面対称な形状を有する側面部材２ｃが着脱可能に装着されている。そして、開口凹部４内に差し込まれた濡れた手から吹き飛ばされた水滴を回収するため、ハウジング２の底部に、水受けトレー１９が着脱可能に取り付けられている。
【００３１】
ハウジング２の側面には、操作部４１が設けられている。操作部４１は、手乾燥装置１の動作態様を設定するための部分である。ハウジング２の全面には、表示部４２が設けられている。表示部４２は、手乾燥装置１の動作状況やメンテナンスのための報知を表示する部分である。
【００３２】
続いて、図２を参照しながら手乾燥装置１について更に詳細に説明する。図２は、手乾燥装置１の中央近傍における縦断面図である。なお、図２では、空気または風の流れを矢印で示している。
【００３３】
図１及び図２に示すように、本実施形態の手乾燥装置１は、手乾燥装置本体を取り囲むハウジング２を備えている。このハウジング２の上部には、ハウジング２の上方からその内部へ並べた両手を挿入することができるように、上端が開口した開口凹部４が設けられている。
【００３４】
この開口凹部４は、そこに手を配置して風を当てて乾燥させる部分（手乾燥室）である。通常、掌をハウジング２の正面側部材２ａ側に向け、手の甲をハウジング２の背面側部材２ｂ側に向けた姿勢で、手をハウジング２の上方から開口凹部４内へ挿入するようになっている。
【００３５】
本実施形態の手乾燥装置１では、手をハウジング２の上方から開口凹部４内へ挿入し、開口凹部４の正面側壁４ａ及び背面側壁４ｂにそれぞれ設けられたセンサ３ａ，３ｂが手を検知すると、両壁面４ａ，４ｂのそれぞれにほぼ水平方向直線状に設けられた複数の掌側用のノズル６ａ及び甲側用のノズル６ｂから、手の掌側及び甲側にそれぞれ温風が吹き付けられ、手に付着していた水滴を飛ばしながら下方へ流れるようになっている。
【００３６】
また、ハウジング２内には、掌側用のノズル６ａ及び甲側用のノズル６ｂのそれぞれに送風するためのファンモータユニットが設けられている。ファンモータユニット８は、その回転駆動軸１０がハウジング２の正面側部材２ａ及び又は背面側部材２ｂに対して垂直な方向に延びるように配置されている。ファンモータユニット８は、ブラシモータと、ファン部材とによって構成されており、ブラシモータが回転することでファン部材が回転し、送風可能なように構成されている。
【００３７】
なお、手乾燥装置１の使用時には、掌側に供給する風量が手の甲側に供給する風量に比べて大きくなるように、掌側の送風ダクト３０ａ及び甲側の送風ダクト３０ｂの流路断面積が設定されている。ファンモータユニット８のケーシングの後端部には、吸込口１４が設けられている。
【００３８】
一方、ファンモータユニット８の吹出ダクト１５の下流端には、上方に突出する吹出口１６が形成されている。この吹出口１６には、フィンヒータ１８が設けられ、フィンヒータ１８により、吹出口１６から吹き出される空気が温められるようになっている。
【００３９】
また、ハウジング２の底部２ｅには水受けトレー１９が設けられており、開口凹部４内において両端がなで肩形状の底壁４ｃの壁面４ｃｓに落ちて両側に掃けた水が、ハウジング２の内側部にある排水溝を伝って水受けトレー１９内に落ちるようになっている。さらに、水受けトレー１９の背面側には、フィルタ２０を備えた空気取入口２２が設けられ、この空気取入口２２には、吸気ダクト２４ｂが接続されている。
【００４０】
吸気ダクト２４は、その上流端２６が空気取入口２２のフィルタ２０の上に配置され、上流端２６と吸込口１４を連通させるように、上流端２６からハウジング２の背面側部材２ｂに沿って上方にほぼ真っ直ぐ延びている。手乾燥装置１の作動中、ハウジング２の外部の空気は、空気取入口２２からフィルタ２０を介して、吸気ダクト２４に吸込まれるようになっている。
【００４１】
さらに、吸気ダクト２４内の上部において、ファンモータユニット８の吸込口１４に隣接して吸音材２８が配置されており、吸音材２８により、ファンモータユニット８の作動中に吸込口１４から漏出した音がそれぞれ吸収されるようになっている。
【００４２】
また、吹出口１６には掌側用の送風ダクト３０ａが接続されており、この掌側用の送風ダクト３０ａは、ハウジング２の正面側部材２ａに隣接して吹出口１６ａから上方に延びるように形成されている。さらに、掌側用の送風ダクト３０ａ内の背面は、上述した開口凹部４の正面側壁４ａが壁面４ａｓを形成しており、送風ダクト３０ａ内の上部の背面側には、複数の掌側用のノズル６ａが掌側用の吹出口１６ａのほぼ真上に位置するように配置されている。
【００４３】
更に、吹出口１６には、掌側用の吹出口１６ａと同様に、甲側用の送風ダクト３０ｂが接続されている。この甲側用の送風ダクト３０ｂは、甲側用の吹出口１６ｂから開口凹部４の背面側壁４ｂの壁面４ｂｓに配置されている複数のノズル６ｂへと延びるように形成されている。
【００４４】
上述したように、ハウジング２の両側面部材２ｃ，２ｄには、風抜き手段であるルーバー５が設けられ、開口凹部４内に配置された手にノズル６ａ，６ｂから温風が吹きつけられた際にハウジング２の側面部材２ｃ，２ｄの方向に飛散した水滴が、このルーバー５により遮断され、風のみがルーバー５を抜けるようになっている。
【００４５】
本実施形態の手乾燥装置１では、手をハウジング２の上方から開口凹部４内へ挿入し、開口凹部４の壁面４ａｓ及び壁面４ｂｓにそれぞれ設けられたセンサ３ａ，３ｂが手を検知すると、ＣＰＵ及びメモリといった構成要素からなる制御部によってファンモータユニット８が駆動され、両壁面４ａｓ，４ｂｓのそれぞれにほぼ水平方向直線状に設けられた複数の掌側用のノズル６ａ及び甲側用のノズル６ｂから、手の掌側及び甲側にそれぞれ温風が吹き付けられ、手に付着していた水滴を飛ばしながら下方へ流れるようになっている。
【００４６】
本実施形態では、ノズル６ａから、比較的大きな風量となるように空気を吹き出すので、開口凹部４から使用者側への空気の吹き返しが懸念される。そこで本実施形態では、背面側壁４ｂに規制壁４ｄを設けている。規制壁４ｄは、ノズル６ａから吹き出された空気が、底壁４ｃに沿って流れた後に正面側壁４ａと背面側壁４ｂとの間を横切るように流れる旋回流を形成するようにその進行方向を調整するものである。
【００４７】
より具体的には、規制壁４ｄは、ノズル６ａから吹き出され、背面側壁４ｂに向かって進行する空気の進行方向を、正面側壁４ａに向かうように調整し、その調整の結果向かった空気が正面側壁４ａから、底壁４ｃを経て、背面側壁４ｂに沿って流れた後に、正面側壁４ａに向かって流れる旋回流を生じさせるものである。
【００４８】
続いて、手乾燥装置１の制御的な構成について、図３を参照しながら説明する。図３は、図１に示す手乾燥装置の制御的な構成を示すブロック構成図である。図３に示すように、手乾燥装置１は、制御部４０と、センサ３ａと、センサ３ｂと、操作部４１と、ブラシモータ８ａと、フィンヒータ１８と、表示部４２とを備えている。ブラシモータ８ａは、ファンモータユニット８に含まれる駆動用のモータである。
【００４９】
制御部４０は、ＣＰＵ及びメモリといった構成要素及びＣＰＵと各要素とのインターフェイスを含むコントロールユニットである。制御部４０は、センサ３ａ及びセンサ３ｂから出力される検知信号を受信し、ブラシモータ８ａ及びフィンヒータ１８に動作指示信号を出力する。
【００５０】
制御部４０は、操作部４１に入力される指示に基づいて、操作部４１から出力される指示信号を受信する。操作部４１には、フィンヒータ１８に通電するか否かの指示を入力することができ、これに基づいた指示信号が出力される。制御部４０は、フィンヒータ１８に通電する場合には、センサ３ａ及びセンサ３ｂから出力される検知信号に応じて、フィンヒータ１８に通電させる指示信号を出力する。制御部４０は、フィンヒータ１８に通電しない場合には、センサ３ａ及びセンサ３ｂから出力される検知信号に応じて、フィンヒータ１８に通電させる指示信号を出力しない。
【００５１】
操作部４１には、ブラシモータ８ａの回転数を高くする「強運転」、ブラシモータ８ａの回転数を低くする「弱運転」の入力ができるように構成されている。「強運転」が入力されると、制御部４０は、センサ３ａ及びセンサ３ｂから出力される検知信号に応じて、ブラシモータ８ａの回転数が高くなるように通電させる指示信号を出力する。「弱運転」が入力されると、制御部４０は、センサ３ａ及びセンサ３ｂから出力される検知信号に応じて、ブラシモータ８ａの回転数が低くなるように通電させる指示信号を出力する。
【００５２】
制御部４０は、機能的な構成要素として、運転状態検出部４０１及び寿命判定部４０２を含んでいる。運転状態検出部４０１は、ブラシモータ８ａの運転状態を検出する部分である。具体的には、運転状態検出部４０１は、ブラシモータ８ａへの通電時間を取得し、その習得した通電時間を累積して累積通電時間として寿命判定部４０２に出力する。更に、運転状態検出部４０１は、ブラシモータ８ａが停止状態から回転状態へと遷移した際に、それを運転回数として寿命判定部４０２に出力する。４０２が検出したブラシモータ８ａの運転状態に基づいてブラシモータ８ａの寿命を判定する部分である。寿命判定部４０２は、ブラシモータ８ａへの通電時間を累積した累積通電時間及びブラシモータ８ａが停止状態から回転状態へと遷移した運転回数に基づいて、ブラシモータ８ａの使用限界を判定する。
【００５３】
寿命判定部４０２は、ブラシモータ８ａへの累積通電時間が予め定められた第一通電時間以上の場合は、ブラシモータ８ａが使用限界に到達したものと判定する。寿命判定部４０２は、ブラシモータ８ａへの累積通電時間が第一通電時間未満の場合であっても、運転回数が予め定められた第一運転回数以上の場合は、ブラシモータ８ａが使用限界に到達したものと判定する。
【００５４】
寿命判定部４０２は、ブラシモータ８ａの回転数が予め定められた第一回転数を下回るように「弱運転」として通電された場合には、ブラシモータ８ａへの実際の通電時間よりも減じた補正通電時間及びブラシモータ８ａの実際の運転回数よりも減じた補正運転回数に基づく判定となるように、ブラシモータ８ａの使用限界を判定する。寿命判定部４０２は、補正運転回数の低減度合いよりも、補正通電時間の低減度合いがより多くなるように補正してブラシモータ８ａの使用限界を判定する。
【００５５】
本実施形態の場合、表示部４２はＬＥＤといった点灯装置によって構成され、寿命報知部として機能している。寿命報知部としての表示部４２は、ブラシモータ８ａが使用限界に到達したことを報知する。具体的には、ブラシモータ８ａが壊れてはいないものの、交換するのが好ましいタイミングを使用限界として、点灯装置を点滅させることで報知している。
【００５６】
また本実施形態では、寿命判定部４０２がブラシモータ８ａへの累積通電時間が予め定められた第二通電時間以上であると判断した場合は、制御部４０がブラシモータ８ａの駆動を停止する。また、寿命判定部４０２がブラシモータ８ａへの累積通電時間が第二通電時間未満の場合であっても、運転回数が予め定められた第二運転回数以上の場合は、制御部４０がブラシモータ８ａの駆動を停止する。
【００５７】
これらブラシモータ８ａの寿命を判定する動作について、いくつかの実例に基づいて説明する。図４は、図１に示す手乾燥装置１の寿命判定動作の一例を示すフローチャートである。図４を参照しながら、手乾燥装置１の寿命判定動作の一例を説明する。
【００５８】
ステップＳ０１では、寿命判定部４０２が、ブラシモータ８ａの運転回数が８４万回（第一運転回数）を経過したか判断する。ブラシモータ８ａの運転回数が８４万回を経過していれば、ステップＳ０３の処理に進み、ブラシモータ８ａの運転回数が８４万回を経過していなければ、ステップＳ０２の処理に進む。
【００５９】
ステップＳ０２では、寿命判定部４０２が、ブラシモータ８ａへの累積通電時間が２０００時間（第一通電時間）を経過したか判断する。ブラシモータ８ａへの累積通電時間が２０００時間を経過していれば、ステップＳ０３の処理に進み、ブラシモータ８ａへの累積通電時間が２０００時間を経過していなければ、ステップＳ０１の処理に戻る。
【００６０】
ステップＳ０３では、寿命判定部４０２が、ブラシモータ８ａの使用限界が到来したものと判断し、ブラシモータ８ａの交換を促す報知を表示部４２に実行させる。表示部４２は、点滅パターンＡによって点滅し、使用者又はメンテナンス担当者にブラシモータ８ａの交換を促す報知を行う。
【００６１】
ステップＳ０３に続くステップＳ０４では、寿命判定部４０２が、ブラシモータ８ａの運転回数が９０万回（第二運転回数）を経過したか判断する。ブラシモータ８ａの運転回数が９０万回を経過していれば、ステップＳ０６の処理に進み、ブラシモータ８ａの運転回数が９０万回を経過していなければ、ステップＳ０５の処理に進む。
【００６２】
ステップＳ０５では、寿命判定部４０２が、ブラシモータ８ａへの累積通電時間が２１２５時間（第二通電時間）を経過したか判断する。ブラシモータ８ａへの累積通電時間が２１２５時間を経過していれば、ステップＳ０６の処理に進み、ブラシモータ８ａへの累積通電時間が２１２５時間を経過していなければ、ステップＳ０４の処理に戻る。
【００６３】
ステップＳ０６では、寿命判定部４０２が、ブラシモータ８ａの使用限界が到来し且つこれ以上は運転継続すべきでないと判断し、ブラシモータ８ａへの運転指示信号の出力を停止する。寿命判定部４０２は、ブラシモータ８ａの交換を強く促す報知を表示部４２に実行させる。表示部４２は、点滅パターンＢによって点滅し、使用者又はメンテナンス担当者にブラシモータ８ａが停止していることを伝達し、ブラシモータ８ａの交換を強く促す報知を行う。
【００６４】
図５は、図１に示す手乾燥装置１の寿命判定動作の一例を示すフローチャートである。図５を参照しながら、手乾燥装置１の寿命判定動作の一例を説明する。
【００６５】
ステップＳ１１では、寿命判定部４０２が、ブラシモータ８ａへの累積通電時間が２０００時間を経過したか判断する。ブラシモータ８ａへの累積通電時間が２０００時間を経過していれば、ステップＳ１２の処理に進み、ブラシモータ８ａへの累積通電時間が２０００時間を経過していなければ、ステップＳ１１の処理を繰り返す。
【００６６】
図５示す例では、ブラシモータ８ａの運転回数も累積通電時間に換算して合算している。その換算及び合算例を、図６に示す。図６に示すように、「強運転」では、運転回数の１回を、所定の通電時間（１０秒）に換算している。一方、ブラシモータ８ａへの通電時間は、実際に通電した時間をそのまま積算している。運転回数を通電時間に換算したものを累積し、ブラシモータ８ａへの実際の通電時間を積算したものと合算することで、ブラシモータ８ａへの累積通電時間としている。
【００６７】
一方、「弱運転」では、運転回数の１回を、所定の通電時間（１０秒）×０．８に換算している。一方、ブラシモータ８ａへの通電時間は、実際に通電した時間の７割を積算している。運転回数を通電時間に換算したものを累積し、ブラシモータ８ａへの実際の通電時間の７割を積算したものと合算することで、ブラシモータ８ａへの累積通電時間としている。
【００６８】
図５に戻って説明を続ける。ステップＳ１２では、寿命判定部４０２が、ブラシモータ８ａの使用限界が到来したものと判断し、ブラシモータ８ａの交換を促す報知を表示部４２に実行させる。表示部４２は、点滅パターンＡによって点滅し、使用者又はメンテナンス担当者にブラシモータ８ａの交換を促す報知を行う。
【００６９】
ステップＳ１２に続くステップＳ１３では、寿命判定部４０２が、ブラシモータ８ａへの累積通電時間が２１２５時間を経過したか判断する。ブラシモータ８ａへの累積通電時間が２１２５時間を経過していれば、ステップＳ１４の処理に進み、ブラシモータ８ａへの累積通電時間が２１２５時間を経過していなければ、ステップＳ１３の処理を繰り返す。ステップＳ１３における累積通電時間も、ステップＳ１１における累積通電時間と同様に、通電時間に運転回数を通電時間に換算したものを合算して判断している。
【００７０】
図７は、図１に示す手乾燥装置１の寿命判定動作の一例を示すフローチャートである。図７を参照しながら、手乾燥装置１の寿命判定動作の一例を説明する。
【００７１】
ステップＳ２１では、寿命判定部４０２が、ブラシモータ８ａの運転回数が８４万カウント（第一運転回数）を経過したか判断する。ブラシモータ８ａの運転回数が８４万カウントを経過していれば、ステップＳ２３の処理に進み、ブラシモータ８ａの運転回数が８４万カウントを経過していなければ、ステップＳ２２の処理に進む。尚、運転回数を判断する際の「カウント」とは、「強運転」であれば１回の運転回数で１カウントとし、「弱運転」であれば１回の運転回数で０．７カウントとする概念である（図８参照）。
【００７２】
ステップＳ２２では、寿命判定部４０２が、ブラシモータ８ａへの累積通電時間が２０００カウント（第一通電時間）を経過したか判断する。ブラシモータ８ａへの累積通電時間が２０００カウントを経過していれば、ステップＳ２３の処理に進み、ブラシモータ８ａへの累積通電時間が２０００カウントを経過していなければ、ステップＳ２１の処理に戻る。尚、通電時間を判断する際の「カウント」とは、「強運転」であれば１時間の通電時間で１カウントとし、「弱運転」であれば１時間の通電時間で０．７カウントとする概念である（図８参照）。
【００７３】
ステップＳ２３では、寿命判定部４０２が、ブラシモータ８ａの使用限界が到来したものと判断し、ブラシモータ８ａの交換を促す報知を表示部４２に実行させる。表示部４２は、点滅パターンＡによって点滅し、使用者又はメンテナンス担当者にブラシモータ８ａの交換を促す報知を行う。
【００７４】
ステップＳ２３に続くステップＳ２４では、寿命判定部４０２が、ブラシモータ８ａの運転回数が９０万カウント（第二運転回数）を経過したか判断する。ブラシモータ８ａの運転回数が９０万カウントを経過していれば、ステップＳ２６の処理に進み、ブラシモータ８ａの運転回数が９０万カウントを経過していなければ、ステップＳ２５の処理に進む。
【００７５】
ステップＳ２５では、寿命判定部４０２が、ブラシモータ８ａへの累積通電時間が２１２５カウント（第二通電時間）を経過したか判断する。ブラシモータ８ａへの累積通電時間が２１２５カウントを経過していれば、ステップＳ２６の処理に進み、ブラシモータ８ａへの累積通電時間が２１２５カウントを経過していなければ、ステップＳ２４の処理に戻る。
【００７６】
ステップＳ２６では、寿命判定部４０２が、ブラシモータ８ａの使用限界が到来し且つこれ以上は運転継続すべきでないと判断し、ブラシモータ８ａへの運転指示信号の出力を停止する。寿命判定部４０２は、ブラシモータ８ａの交換を強く促す報知を表示部４２に実行させる。表示部４２は、点滅パターンＢによって点滅し、使用者又はメンテナンス担当者にブラシモータ８ａが停止していることを伝達し、ブラシモータ８ａの交換を強く促す報知を行う。
【００７７】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００７８】
１：手乾燥装置
２：ハウジング
２ａ：正面側部材
２ｂ：背面側部材
２ｃ：側面部材
２ｄ：側面部材
２ｅ：底部
３ａ，３ｂ：センサ
４：開口凹部
４ａ：正面側壁
４ａ，４ｂ：壁面
４ａｓ，４ｂｓ：壁面
４ｂ：背面側壁
４ｃ：底壁
４ｃｓ：壁面
４ｄ：規制壁
４ｕ：開口部
５：ルーバー
５ａ：通気口
６ａ：ノズル
６ｂ：ノズル
８：ファンモータユニット
１０：回転駆動軸
１４：吸込口
１５：吹出ダクト
１６：吹出口
１６ａ：吹出口
１６ｂ：吹出口
１８：フィンヒータ
１９：トレー
２０：フィルタ
２２：空気取入口
２４：吸気ダクト
２４ｂ：吸気ダクト
２６：上流端
２８：吸音材
３０ａ：送風ダクト
３０ｂ：送風ダクト
４０：制御部
４１：操作部
４２：表示部
４０１：運転状態検出部
４０２：寿命判定部
【図１】
0005720940.tif 000002
【図２】
0005720940.tif 000003
【図３】
0005720940.tif 000004
【図４】
0005720940.tif 000005
【図５】
0005720940.tif 000006
【図６】
0005720940.tif 000007
【図７】
0005720940.tif 000008
【図８】
0005720940.tif 000009